(57)【要約】【課題】遮光性の層に対して光を透過させることが可能な新規な表示装置を備えた室内機を得る。【解決手段】この室内機は、ケーシングの前面に取り付けられる前面パネル２０の意匠面Ｓに発光表示を映し出す表示装置１０を備えている。この表示装置１０は、光源３１と、光源３１から照射された光を映し出す意匠面Ｓと、光源３１と意匠面Ｓとの間に配置されるメタリック色の遮光性の層４０と、ＬＥＤ３１から遮光性の層４０に入射する光を拡散する拡散層５０とを備えている。そして、光源３１から照射された光は、拡散層５０で略全領域に広がった後、その一部が遮光性の層４０を透過することによって、前面パネル２０の意匠面Ｓに映し出される。【選択図】図３
2010256597.tif 000002
【特許請求の範囲】
【請求項１】
意匠面の裏側に配置される光源と、
前記光源と前記意匠面との間に配置される遮光性の層とを備え、
前記光源から照射された光の一部は、前記遮光性の層を透過して前記意匠面に映し出されることを特徴とする、表示装置。
【請求項２】
前記遮光性の層は、メタリック色の塗装又はメタリック色の印刷によって形成されることを特徴とする、請求項１に記載の表示装置。
【請求項３】
前記遮光性の層は、金属粉、パール及びマイカの少なくとも１種を含むことを特徴とする、請求項２に記載の表示装置。
【請求項４】
前記遮光性の層は、２μｍ〜２０μｍの厚みを有することを特徴とする、請求項１〜３のいずれか１項に記載の表示装置。
【請求項５】
前記光源と前記遮光性の層との間に配置され、前記光源から前記遮光性の層に入射する光を拡散する拡散層をさらに備えることを特徴とする、請求項１〜４のいずれか１項に記載の表示装置。
【請求項６】
前記拡散層は、白色又は淡色であることを特徴とする、請求項５に記載の表示装置。
【請求項７】
前記拡散層は、塗膜層、印刷層又はシート材であることを特徴とする、請求項５又は６に記載の表示装置。
【請求項８】
前記拡散層は、１０μｍ〜２５μｍの厚みを有することを特徴とする、請求項５〜７のいずれか１項に記載の表示装置。
【請求項９】
前記遮光性の層を積層するための透明色の基材をさらに備え、
前記遮光性の層は、前記基材の前記光源側の面に積層されることを特徴とする、請求項１〜８のいずれか１項に記載の表示装置。
【請求項１０】
前記光源が白色光であることを特徴とする、請求項１〜９のいずれか１項に記載の表示装置。
【請求項１１】
請求項１〜１０のいずれか１項に記載の表示装置と、
筐体の前面に取り付けられる前面パネルとを備え、
前記表示装置は、前記前面パネルに設けられることを特徴とする、空気調和機。
【発明の詳細な説明】
【技術分野】
【０００１】
本発明は、意匠面に光源からの光を発光表示させる表示装置及びその表示装置を備えた空気調和機に関する。
【背景技術】
【０００２】
近年、空気調和機など様々な機器の美観を向上させるために、筐体の内部に設けられた光源からの光を、その筐体の前面に取り付けられる前面パネルの意匠面に映し出す空気調和機が種々開発されている（例えば、特許文献１参照）。
【先行技術文献】
【特許文献】
【０００３】
【特許文献１】特開２００７−２０６５７７号公報
【発明の概要】
【発明が解決しようとする課題】
【０００４】
しかしながら、光源の光を前面パネルの意匠面に映し出すには、光の透過性の高い透明色や白色等の淡色の前面パネルを採用しなければならず、暗色が必要な場合は透明基材自体が着色されたスモーク色である必要があり、前面パネルの色彩の選択が制限されていた。このため、メタリック系色等の遮光性の高い前面パネルを利用した場合、光源からの光をその前面パネルの意匠面に映し出せなかった。
【０００５】
そこで、この発明は、上記のような課題を解決するためになされたものであり、遮光性の層に対して光を透過させることが可能な新規な表示装置及びその表示装置を備えた空気調和機を提供することを目的とする。
【課題を解決するための手段】
【０００６】
第１の発明にかかる表示装置は、意匠面の裏側に配置される光源と、光源と意匠面との間に配置される遮光性の層とを備え、光源から照射された光の一部は、遮光性の層を透過して意匠面に映し出される。
【０００７】
このように構成すれば、遮光性の層に対して光を透過させることが可能な新規な表示装置を得ることができる。
【０００８】
第２の発明にかかる表示装置は、第１の発明にかかる表示装置において、遮光性の層は、メタリック色の塗装又はメタリック色の印刷によって形成される。
【０００９】
この表示装置では、蒸着等の手法により形成されるハーフミラー等とは異なる手法で形成される遮光性の層に対して光を透過させることができる。
【００１０】
第３の発明にかかる表示装置は、第２の発明にかかる表示装置において、遮光性の層は、金属粉、パール及びマイカの少なくとも１種を含む。
【００１１】
この表示装置では、金属粉、パール及びマイカの少なくとも１種によってメタリック色に呈した遮光性の層に対して光を透過させることができる。
【００１２】
第４の発明にかかる表示装置は、第１〜第３のいずれかの発明にかかる表示装置において、遮光性の層は、２μｍ〜２０μｍの厚みを有する。
【００１３】
このように構成すれば、遮光性の層に対して光を透過させることが可能となる。
【００１４】
第５の発明にかかる表示装置は、第１〜第４のいずれかの発明にかかる表示装置において、光源と遮光性の層との間に配置され、光源から遮光性の層に入射する光を拡散する拡散層をさらに備える。
【００１５】
この表示装置では、光源の発光部分をぼやかして発光部の略全体が発光しているように視認させることができる。
【００１６】
第６の発明にかかる表示装置は、第５の発明にかかる表示装置において、拡散層は、白色又は淡色である。
【００１７】
この表示装置では、光源の明るさを保ちつつ、拡散層が光源の発光部分をぼやかして発光部の略全体が発光しているように視認させることができる。
【００１８】
第７の発明にかかる表示装置は、第５又は第６の発明にかかる表示装置において、拡散層は、塗膜層、印刷層又はシート材である。
【００１９】
この表示装置では、簡単に形成することができる拡散層によって、光源の発光部分をぼやかして発光部の略全体が発光しているように視認させることができる。
【００２０】
第８の発明にかかる表示装置は、第５〜第７のいずれかの発明にかかる表示装置において、拡散層は、１０μｍ〜２５μｍの厚みを有する。
【００２１】
このように構成すれば、拡散層が光源の発光部分をぼやかして発光部の略全体が発光しているように視認させることができる。
【００２２】
第９の発明にかかる表示装置は、第１〜第８のいずれかの発明にかかる表示装置において、遮光性の層を積層するための透明色の基材をさらに備え、遮光性の層は、基材の光源側の面に積層される。
【００２３】
この表示装置では、遮光性の層を光源に近い位置に配置することで、意匠面に表示される発光表示が明瞭になる。
【００２４】
第１０の発明にかかる表示装置は、第１〜第９のいずれかの発明にかかる表示装置において、光源が白色光である。
【００２５】
この表示装置では、意匠面に遮光性の層を透過した白色光を表現することができる。
【００２６】
第１１の発明にかかる空気調和機は、上記したいずれかの表示装置と、筐体の前面に取り付けられる前面パネルとを備え、表示装置は、前面パネルに設けられる。
【００２７】
このように構成すれば、前面パネルに遮光性の層を透過した光を映し出す新規な空気調和機を得ることができる。
【発明の効果】
【００２８】
以上の説明に述べたように、本発明によれば、以下の効果が得られる。
【００２９】
第１の発明では、遮光性の層に対して光を透過させることが可能な新規な表示装置を得ることができる。
【００３０】
また、第２の発明では、蒸着等の手法により形成されるハーフミラー等とは異なる手法で形成される遮光性の層に対して光を透過させることができる。
【００３１】
また、第３の発明では、金属粉、パール及びマイカの少なくとも１種によってメタリック色に呈した遮光性の層に対して光を透過させることができる。
【００３２】
また、第４の発明では、遮光性の層に対して光を透過させることが可能となる。
【００３３】
また、第５の発明では、光源の発光部分をぼやかして発光部の略全体が発光しているように視認させることができる。
【００３４】
また、第６の発明では、光源の明るさを保ちつつ、拡散層が光源の発光部分をぼやかして発光部の略全体が発光しているように視認させることができる。
【００３５】
また、第７の発明では、簡単に形成することができる拡散層によって、光源の発光部分をぼやかして拡散層の略全体が発光しているように視認させることができる。
【００３６】
また、第８の発明では、拡散層が光源の発光部分をぼやかして発光部の略全体が発光しているように視認させることができる。
【００３７】
また、第９の発明では、遮光性の層を光源に近い位置に配置することで、意匠面に表示される発光表示が明瞭になる。
【００３８】
また、第１０の発明では、意匠面に遮光性の層を透過した白色光を表現することができる。
【００３９】
また、第１１の発明では、前面パネルに遮光性の層を透過した光を映し出す新規な空気調和機を得ることができる。
【図面の簡単な説明】
【００４０】
【図１】本発明の第１実施形態に係る室内機の斜視図である。
【図２】図１に示した室内機の断面模式図である。
【図３】図１に示した室内機の表示装置の断面模式図である。
【図４】本発明の第２実施形態に係る表示装置の断面模式図である。
【図５】本発明の第３実施形態に係る表示装置の断面模式図である。
【発明を実施するための形態】
【００４１】
以下、図面に基づいて、本発明に係る空気調和機の室内機の実施形態について説明する。
【００４２】
（第１実施形態）
［室内機の全体構成］
本実施形態の室内機１は、図１に示すように、室内の壁面等に設置され、リモコン（図示せず）から送信される各種指令に応じて、冷房・暖房運転や除湿運転などを行う。この室内機１は、図２に示すように、主として、ケーシング２と、そのケーシング２内に配置される室内熱交換器３及びファン４と、ケーシング２の前面に取り付けられる前面パネル２０とを備えている。このケーシング２の上部には吸込口２ａが設けられると共に、下部には吹出口２ｂが設けられている。ファン４が駆動することによって吸込口２ａから吸い込まれた室内空気は、室内熱交換器３を通過することによって熱交換されて、吹出口２ｂを介して室内に吹き出される。また、ファン４から吹出口２ｂに至る流路上には、吹出口２ｂに近い方から順に、上下フラップ５，左右フラップ６が配置されている。
【００４３】
［表示装置］
本実施形態の室内機１には、光源が発光して所定の文字や記号等を表示することが可能な表示装置１０が設けられている。この表示装置１０は、主として、上記した前面パネル２０と、その前面パネル２０の背面側に配置される発光装置３０と、発光装置３０の白色光源３１から照射された光を映し出す意匠面Ｓとを備えている。なお、上記した白色光源３１の一例として、白色ＬＥＤ（Light Emitting Diode）等を用いることができる。
【００４４】
本実施形態の発光装置３０は、図３に示すように、複数の白色光源３１と、当該白色光源３１の発光制御を行う基板（図示せず）と、当該白色光源３１から照射された光を前面パネル２０側に指向させる反射板３２とを備えている。
【００４５】
ここで、本実施形態では、前面パネル２０は、透明色であって、その背面には遮光性の層４０が形成されている。この遮光性の層４０は、アルミ粉、パール及びマイカの少なくとも１種を含むことによって、メタリック色を呈している。そして、遮光性の層４０は、白色光源３１から照射された光の一部が透過するように、その厚さＴ１１が２μｍ〜２０μｍとなるように形成されている。この遮光性の層４０は、蒸着やスパッタなどの手法で形成されるハーフミラーとは異なり、メタリック色の塗装又はメタリック色の印刷によって形成されている。
【００４６】
また、本実施形態では、白色光源３１と遮光性の層４０との間には、白色光源３１から遮光性の層４０に入射する光を拡散する拡散層５０が配置されている。この拡散層５０は、白色又は淡色の塗装又は印刷によって、上記した遮光性の層４０の背面に形成されている。そして、拡散層５０は、白色光源３１の発光部分の位置を特定できない程にぼやかして発光部６０の略全体が発光しているように視認させるために、その厚さＴ１２が１０μｍ〜２５μｍとなるように形成されている。
【００４７】
本実施形態では、上記したように、発光装置３０側から、拡散層５０、遮光性の層４０、前面パネル２０の順に配置されており、白色光源３１から照射された光は、拡散層５０で略全領域に広がった後、その一部が遮光性の層４０を透過することによって、前面パネル２０の意匠面Ｓにメタリック色の発光表示が映し出される。
【００４８】
［本実施形態の室内機の特徴］
本実施形態の室内機１（表示装置１０）には、以下のような特徴がある。
【００４９】
本実施形態の室内機１では、白色光源３１からの光の一部を、メタリック色を呈する遮光性の層４０に透過させることができるので、前面パネル２０の意匠面Ｓにメタリック色独特の高級感や深みを表現することが可能となる。
【００５０】
本実施形態の室内機１では、蒸着等の手法により形成されるハーフミラー等とは異なる手法（メタリック色の塗装又はメタリック色の印刷）で形成される遮光性の層４０に対して光を透過させることができる。
【００５１】
本実施形態の室内機１では、アルミ粉、パール及びマイカの少なくとも１種が含まれることによりメタリック色に呈した遮光性の層４０に対して、光を透過させることができる。
【００５２】
本実施形態の室内機１では、遮光性の層４０を２μｍ〜２０μｍの厚みにすることによって、当該遮光性の層４０に対して光を透過させることが可能となる。
【００５３】
本実施形態の室内機１では、拡散層５０を設けることによって、白色光源３１の発光部分をぼやかして発光部６０の略全体が発光しているように視認させることができる。
【００５４】
本実施形態の室内機１では、拡散層５０を白色又は淡色にすることによって、白色光源３１の明るさを保ちつつ、拡散層５０が白色光源３１の発光部分をぼやかして発光部６０の略全体が発光しているように視認させることができる。
【００５５】
本実施形態の室内機１では、拡散層５０を、塗膜又は印刷によって簡単に形成することができる拡散層５０によって、白色光源３１の発光部分をぼやかして発光部６０の略全体が発光しているように視認させることができる。
【００５６】
本実施形態の室内機１では、拡散層５０を１０μｍ〜２５μｍの厚みにすることによって、白色光源３１の発光部分をぼやかして発光部６０の略全体が発光しているように視認させることができる。
【００５７】
本実施形態の室内機１では、遮光性の層４０を前面パネル２０の白色光源３１側の面に積層することで、遮光性の層４０を白色光源３１に近い位置に配置されるので、意匠面Ｓに表示される文字や記号などの発光表示が明瞭になる。
【００５８】
本実施形態の室内機１では、光源として白色の白色光源３１を用いることによって、意匠面Ｓに遮光性の層４０を透過した白色光を表現することができる。
【００５９】
（第２実施形態）
上記した第１実施形態では、透明色の前面パネル２０の背面に遮光性の層４０を形成する例について説明したが、この第２実施形態では、前面パネル２０の前面に遮光性の層を形成している。以下、図４を参照して、第２実施形態に係る表示装置１１０を詳細に説明する。なお、第１実施形態の表示装置と同一の構成については、同一番号を付し、その説明を省略する。
【００６０】
［表示装置］
本実施形態の表示装置１１０は、主として、ケーシング２の前面に取り付けられる前面パネル１２０と、その前面パネル１２０の背面側に配置される発光装置３０とを備えている。
【００６１】
この第２実施形態では、前面パネル１２０は、透明色であって、その前面にはメタリック色の塗装又はメタリック色の印刷によって遮光性の層１４０が形成されている。この遮光性の層１４０は、アルミ粉、パール及びマイカの少なくとも１種を含むことによって、メタリック色を呈している。そして、遮光性の層１４０は、白色光源３１から照射された光の一部が透過するように、その厚さＴ２１が２μｍ〜２０μｍとなるように形成されている。
【００６２】
また、本実施形態では、白色光源３１と遮光性の層１４０との間には、白色光源３１から遮光性の層１４０に入射する光を拡散する拡散層１５０が配置されている。この拡散層１５０は、白色又は淡色の塗装又は印刷によって、前面パネル１２０の背面に形成されている。そして、拡散層１５０は、白色光源３１の発光部分をぼやかして発光部１６０の略全体が発光しているように視認させるために、その厚さＴ２２が１０μｍ〜２５μｍとなるように形成されている。
【００６３】
本実施形態では、上記したように、発光装置３０側から、拡散層１５０、前面パネル１２０、遮光性の層１４０の順に配置されており、白色光源３１から照射された光は、拡散層１５０で略全領域に広がった後、透明色の前面パネル１２０を介して、その一部が遮光性の層１４０を透過することによって、遮光性の層１４０の意匠面Ｓにメタリック色の発光表示が映し出される。
【００６４】
（第３実施形態）
上記した第１及び第２実施形態では、透明色の前面パネル２０，１２０の背面に拡散層５０，１５０を形成する例について説明したが、この第３実施形態では、前面パネル２０の前面に拡散層を形成している。以下、図５を参照して、第３実施形態に係る表示装置２１０を詳細に説明する。なお、第１実施形態の表示装置と同一の構成については、同一番号を付し、その説明を省略する。
【００６５】
［表示装置］
本実施形態の表示装置２１０は、主として、ケーシング２の前面に取り付けられる前面パネル２２０と、その前面パネル２２０の背面側に配置される発光装置３０とを備えている。
【００６６】
この第３実施形態では、前面パネル２２０は、透明色であって、その前面には白色光源３１から後述する遮光性の層２４０に入射する光を拡散する拡散層２５０が配置されている。この拡散層２５０は、白色又は淡色の塗装又は印刷によって形成されている。そして、拡散層２５０は、白色光源３１の発光部分をぼやかして発光部２６０の略全体が発光しているように視認させるために、その厚さＴ３２が１０μｍ〜２５μｍとなるように形成されている。
【００６７】
また、拡散層２５０の前面にはメタリック色の塗装又はメタリック色の印刷によって遮光性の層２４０が形成されている。この遮光性の層２４０は、アルミ粉、パール及びマイカの少なくとも１種を含むことによって、メタリック色を呈している。そして、遮光性の層２４０は、白色光源３１から照射された光の一部が透過するように、その厚さＴ３１が２μｍ〜２０μｍとなるように形成されている。
【００６８】
本実施形態では、上記したように、発光装置３０側から、前面パネル２２０、拡散層２５０、遮光性の層２４０の順に配置されており、白色光源３１から照射された光は、透明色の前面パネル２２０を通過して、拡散層２５０で略全領域に広がった後、その一部が遮光性の層２４０を透過することによって、遮光性の層２４０の意匠面Ｓにメタリック色の発光表示が映し出される。
【００６９】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００７０】
例えば、上記実施形態では、拡散層を白色又は淡色の塗装又は印刷によって形成する例について説明したが、本発明はこれに限らず、当該拡散層を白色又は淡色のシート材で代用しても良い。なお、拡散層としてシート材を用いた場合、当該シート材は淡色系に着色された薄手のものであることが好ましい。
【００７１】
また、白色又は淡色の塗装若しくは印刷、又は、白色又は淡色のシート材でなくても、光源から照射される光を拡散可能であれば、種々の拡散部材を採用することができる。
【００７２】
また、上記実施形態では、遮光性の層がアルミ粉を含む例について説明したが、本発明はこれに限らず、遮光性の層がメタリック色を呈するようにアルミ粉以外の金属粉を用いてもよい。
【００７３】
また、上記実施形態では、遮光性の層にアルミ粉、パール及びマイカの少なくとも一種を含ませる例について説明したが、本発明はこれに限らず、遮光性の層にアルミ粉、パール及びマイカ以外の光輝材を含ませてもよい。
【００７４】
また、上記実施形態では、表示装置を空気調和機の室内機に適用する例について説明したが、本発明の表示装置は、室内機以外の機器にも適用可能である。
【産業上の利用可能性】
【００７５】
本発明を利用すれば、遮光性の層に対して光を透過させることが可能な新規な表示装置及びその表示装置を備えた空気調和機（室内機）を得ることができる。
【符号の説明】
【００７６】
１  室内機（空気調和機）
１０，１１０，２１０  表示装置
２０，１２０，２２０  前面パネル（基材）
３０  発光装置
３１  白色光源（ＬＥＤ）
４０，１４０，２４０  遮光性の層
５０，１５０，２５０  拡散層
【図１】
2010256597.tif 000003
【図２】
2010256597.tif 000004
【図３】
2010256597.tif 000005
【図４】
2010256597.tif 000006
【図５】
2010256597.tif 000007
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
光源と、
透明色の基材と、
前記光源と前記透明色の基材との間に配置され、メタリック色の塗装によって２μｍ〜５μｍの厚みに形成されたメタリック色の層と、
前記光源と前記メタリック色の層との間に配置され、前記メタリック色の層に入射する前の光を拡散する拡散層とを備え、
前記透明色の基材において前記光源と反対側の面が意匠面であることを特徴とする、表示装置。
【請求項２】
光源と、
メタリック色の塗装によって２μｍ〜５μｍの厚みに形成されたメタリック色の層と、
前記光源と前記メタリック色の層との間に配置された透明色の基材と、
前記光源と前記メタリック色の層との間に配置され、前記メタリック色の層に入射する前の光を拡散する拡散層とを備え、
前記メタリック色の層において前記光源と反対側の面が意匠面であることを特徴とする、表示装置。
【請求項３】
前記メタリック色の層は、金属粉、パール及びマイカの少なくとも１種を含むことを特徴とする、請求項１または２に記載の表示装置。
【請求項４】
前記拡散層は、白色又は淡色であることを特徴とする、請求項１〜３のいずれか１項に記載の表示装置。
【請求項５】
前記拡散層は、塗膜層、印刷層又はシート材であることを特徴とする、請求項１〜４のいずれか１項に記載の表示装置。
【請求項６】
前記拡散層は、１０μｍ〜２５μｍの厚みを有することを特徴とする、請求項１〜５のいずれか１項に記載の表示装置。
【請求項７】
前記光源から照射された光の一部は、白色光であることを特徴とする、請求項１〜６のいずれか１項に記載の表示装置。
【請求項８】
請求項１〜７のいずれか１項に記載の表示装置と、
筐体の前面に取り付けられる前面パネルとを備え、
前記表示装置は、前記前面パネルに設けられることを特徴とする、空気調和機。
【手続補正２】
【補正対象書類名】明細書
【補正対象項目名】全文
【補正方法】変更
【補正の内容】
【発明の詳細な説明】
【技術分野】
【０００１】
本発明は、意匠面に光源からの光を発光表示させる表示装置及びその表示装置を備えた空気調和機に関する。
【背景技術】
【０００２】
近年、空気調和機など様々な機器の美観を向上させるために、筐体の内部に設けられた光源からの光を、その筐体の前面に取り付けられる前面パネルの意匠面に映し出す空気調和機が種々開発されている（例えば、特許文献１参照）。
【先行技術文献】
【特許文献】
【０００３】
【特許文献１】特開２００７−２０６５７７号公報
【発明の概要】
【発明が解決しようとする課題】
【０００４】
しかしながら、光源の光を前面パネルの意匠面に映し出すには、光の透過性の高い透明色や白色等の淡色の前面パネルを採用しなければならず、暗色が必要な場合は透明基材自体が着色されたスモーク色である必要があり、前面パネルの色彩の選択が制限されていた。このため、メタリック系色等の遮光性の高い前面パネルを利用した場合、光源からの光をその前面パネルの意匠面に映し出せなかった。
【０００５】
そこで、この発明は、上記のような課題を解決するためになされたものであり、メタリック色の層に対して光を透過させることが可能な新規な表示装置及びその表示装置を備えた空気調和機を提供することを目的とする。
【課題を解決するための手段】
【０００６】
第１の発明にかかる表示装置は、光源と、透明色の基材と、前記光源と前記透明色の基材との間に配置され、メタリック色の塗装によって２μｍ〜５μｍの厚みに形成されたメタリック色の層と、前記光源と前記メタリック色の層との間に配置され、前記メタリック色の層に入射する前の光を拡散する拡散層とを備え、前記透明色の基材において前記光源と反対側の面が意匠面であることを特徴としている。
【０００７】
このように構成すれば、メタリック色の塗装により形成されたメタリック色の層に対して光を透過させることが可能な新規な表示装置を得ることができる。
また、この表示装置では、蒸着等の手法により形成されるハーフミラー等とは異なる手法で形成されるメタリック色の層に対して光を透過させることができる。
また、この表示装置では、光源の発光部分をぼやかして発光部の略全体が発光しているように視認させることができる。
また、この表示装置では、遮光性の層を光源に近い位置に配置することで、意匠面に表示される発光表示が明瞭になる。
【０００８】
第２の発明にかかる表示装置は、光源と、メタリック色の塗装によって２μｍ〜５μｍの厚みに形成されたメタリック色の層と、前記光源と前記メタリック色の層との間に配置された透明色の基材と、前記光源と前記メタリック色の層との間に配置され、前記メタリック色の層に入射する前の光を拡散する拡散層とを備え、前記メタリック色の層において前記光源と反対側の面が意匠面であることを特徴としている。
【０００９】
このように構成すれば、メタリック色の塗装により形成されたメタリック色の層に対して光を透過させることが可能な新規な表示装置を得ることができる。
また、この表示装置では、蒸着等の手法により形成されるハーフミラー等とは異なる手法で形成されるメタリック色の層に対して光を透過させることができる。
また、この表示装置では、光源の発光部分をぼやかして発光部の略全体が発光しているように視認させることができる。
【００１０】
第３の発明にかかる表示装置は、第１または第２の発明にかかる表示装置において、メタリック色の層は、金属粉、パール及びマイカの少なくとも１種を含む。
【００１１】
この表示装置では、金属粉、パール及びマイカの少なくとも１種によってメタリック色に呈したメタリック色の層に対して光を透過させることができる。
【００１２】
【００１３】
【００１４】
【００１５】
【００１６】
第４の発明にかかる表示装置は、第１〜第３の発明のいずれかにかかる表示装置において、拡散層は、白色又は淡色である。
【００１７】
この表示装置では、光源の明るさを保ちつつ、拡散層が光源の発光部分をぼやかして発光部の略全体が発光しているように視認させることができる。
【００１８】
第５の発明にかかる表示装置は、第１〜第４の発明のいずれかにかかる表示装置において、拡散層は、塗膜層、印刷層又はシート材である。
【００１９】
この表示装置では、簡単に形成することができる拡散層によって、光源の発光部分をぼやかして発光部の略全体が発光しているように視認させることができる。
【００２０】
第６の発明にかかる表示装置は、第１〜第５のいずれかの発明にかかる表示装置において、拡散層は、１０μｍ〜２５μｍの厚みを有する。
【００２１】
このように構成すれば、拡散層が光源の発光部分をぼやかして発光部の略全体が発光しているように視認させることができる。
【００２２】
【００２３】
【００２４】
第７の発明にかかる表示装置は、第１〜第９のいずれかの発明にかかる表示装置において、前記光源から照射された光の一部は、白色光である。
【００２５】
この表示装置では、意匠面にメタリック色の層を透過した白色光を表現することができる。
【００２６】
第８の発明にかかる空気調和機は、上記したいずれかの表示装置と、筐体の前面に取り付けられる前面パネルとを備え、表示装置は、前面パネルに設けられる。
【００２７】
このように構成すれば、前面パネルにメタリック色の層を透過した光を映し出す新規な空気調和機を得ることができる。
【発明の効果】
【００２８】
以上の説明に述べたように、本発明によれば、以下の効果が得られる。
【００２９】
第１の発明では、メタリック色の塗装により形成されたメタリック色の層に対して光を透過させることが可能な新規な表示装置を得ることができる。
また、この表示装置では、蒸着等の手法により形成されるハーフミラー等とは異なる手法で形成されるメタリック色の層に対して光を透過させることができる。
また、この表示装置では、光源の発光部分をぼやかして発光部の略全体が発光しているように視認させることができる。
また、この表示装置では、遮光性の層を光源に近い位置に配置することで、意匠面に表示される発光表示が明瞭になる。
【００３０】
また、第２の発明では、メタリック色の塗装により形成されたメタリック色の層に対して光を透過させることが可能な新規な表示装置を得ることができる。
また、この表示装置では、蒸着等の手法により形成されるハーフミラー等とは異なる手法で形成されるメタリック色の層に対して光を透過させることができる。
また、この表示装置では、光源の発光部分をぼやかして発光部の略全体が発光しているように視認させることができる。
【００３１】
また、第３の発明では、金属粉、パール及びマイカの少なくとも１種によってメタリック色に呈したメタリック色の層に対して光を透過させることができる。
【００３２】
【００３３】
【００３４】
また、第４の発明では、光源の明るさを保ちつつ、拡散層が光源の発光部分をぼやかして発光部の略全体が発光しているように視認させることができる。
【００３５】
また、第５の発明では、簡単に形成することができる拡散層によって、光源の発光部分をぼやかして拡散層の略全体が発光しているように視認させることができる。
【００３６】
また、第６の発明では、拡散層が光源の発光部分をぼやかして発光部の略全体が発光しているように視認させることができる。
【００３７】
【００３８】
また、第７の発明では、意匠面にメタリック色の層を透過した白色光を表現することができる。
【００３９】
また、第８の発明では、前面パネルにメタリック色の層を透過した光を映し出す新規な空気調和機を得ることができる。
【図面の簡単な説明】
【００４０】
【図１】本発明の第１実施形態に係る室内機の斜視図である。
【図２】図１に示した室内機の断面模式図である。
【図３】図１に示した室内機の表示装置の断面模式図である。
【図４】本発明の第２実施形態に係る表示装置の断面模式図である。
【図５】本発明の第３実施形態に係る表示装置の断面模式図である。
【発明を実施するための形態】
【００４１】
以下、図面に基づいて、本発明に係る空気調和機の室内機の実施形態について説明する。
【００４２】
（第１実施形態）
［室内機の全体構成］
本実施形態の室内機１は、図１に示すように、室内の壁面等に設置され、リモコン（図示せず）から送信される各種指令に応じて、冷房・暖房運転や除湿運転などを行う。この室内機１は、図２に示すように、主として、ケーシング２と、そのケーシング２内に配置される室内熱交換器３及びファン４と、ケーシング２の前面に取り付けられる前面パネル２０とを備えている。このケーシング２の上部には吸込口２ａが設けられると共に、下部には吹出口２ｂが設けられている。ファン４が駆動することによって吸込口２ａから吸い込まれた室内空気は、室内熱交換器３を通過することによって熱交換されて、吹出口２ｂを介して室内に吹き出される。また、ファン４から吹出口２ｂに至る流路上には、吹出口２ｂに近い方から順に、上下フラップ５，左右フラップ６が配置されている。
【００４３】
［表示装置］
本実施形態の室内機１には、光源が発光して所定の文字や記号等を表示することが可能な表示装置１０が設けられている。この表示装置１０は、主として、上記した前面パネル２０と、その前面パネル２０の背面側に配置される発光装置３０と、発光装置３０の白色光源３１から照射された光を映し出す意匠面Ｓとを備えている。なお、上記した白色光源３１の一例として、白色ＬＥＤ（Light Emitting Diode）等を用いることができる。
【００４４】
本実施形態の発光装置３０は、図３に示すように、複数の白色光源３１と、当該白色光源３１の発光制御を行う基板（図示せず）と、当該白色光源３１から照射された光を前面パネル２０側に指向させる反射板３２とを備えている。
【００４５】
ここで、本実施形態では、前面パネル２０は、透明色であって、その背面にはメタリック色の層４０が形成されている。このメタリック色の層４０は、アルミ粉、パール及びマイカの少なくとも１種を含むことによって、メタリック色を呈している。そして、メタリック色の層４０は、白色光源３１から照射された光の一部が透過するように、その厚さＴ１１が２μｍ〜５μｍとなるように形成されている。このメタリック色の層４０は、蒸着やスパッタなどの手法で形成されるハーフミラーとは異なり、メタリック色の塗装によって形成されている。
【００４６】
また、本実施形態では、白色光源３１とメタリック色の層４０との間には、白色光源３１からメタリック色の層４０に入射する光を拡散する拡散層５０が配置されている。この拡散層５０は、白色又は淡色の塗装又は印刷によって、上記したメタリック色の層４０の背面に形成されている。そして、拡散層５０は、白色光源３１の発光部分の位置を特定できない程にぼやかして発光部６０の略全体が発光しているように視認させるために、その厚さＴ１２が１０μｍ〜２５μｍとなるように形成されている。
【００４７】
本実施形態では、上記したように、発光装置３０側から、拡散層５０、メタリック色の層４０、前面パネル２０の順に配置されており、白色光源３１から照射された光は、拡散層５０で略全領域に広がった後、その一部がメタリック色の層４０を透過することによって、前面パネル２０の意匠面Ｓにメタリック色の発光表示が映し出される。
【００４８】
［本実施形態の室内機の特徴］
本実施形態の室内機１（表示装置１０）には、以下のような特徴がある。
【００４９】
本実施形態の室内機１では、白色光源３１からの光の一部を、メタリック色を呈するメタリック色の層４０に透過させることができるので、前面パネル２０の意匠面Ｓにメタリック色独特の高級感や深みを表現することが可能となる。
【００５０】
本実施形態の室内機１では、蒸着等の手法により形成されるハーフミラー等とは異なる手法（メタリック色の塗装）で形成されるメタリック色の層４０に対して光を透過させることができる。
【００５１】
本実施形態の室内機１では、アルミ粉、パール及びマイカの少なくとも１種が含まれることによりメタリック色に呈したメタリック色の層４０に対して、光を透過させることができる。
【００５２】
本実施形態の室内機１では、メタリック色の層４０を２μｍ〜５μｍの厚みにすることによって、当該メタリック色の層４０に対して光を透過させることが可能となる。
【００５３】
本実施形態の室内機１では、拡散層５０を設けることによって、白色光源３１の発光部分をぼやかして発光部６０の略全体が発光しているように視認させることができる。
【００５４】
本実施形態の室内機１では、拡散層５０を白色又は淡色にすることによって、白色光源３１の明るさを保ちつつ、拡散層５０が白色光源３１の発光部分をぼやかして発光部６０の略全体が発光しているように視認させることができる。
【００５５】
本実施形態の室内機１では、拡散層５０を、塗膜又は印刷によって簡単に形成することができる拡散層５０によって、白色光源３１の発光部分をぼやかして発光部６０の略全体が発光しているように視認させることができる。
【００５６】
本実施形態の室内機１では、拡散層５０を１０μｍ〜２５μｍの厚みにすることによって、白色光源３１の発光部分をぼやかして発光部６０の略全体が発光しているように視認させることができる。
【００５７】
本実施形態の室内機１では、メタリック色の層４０を前面パネル２０の白色光源３１側の面に積層することで、メタリック色の層４０を白色光源３１に近い位置に配置されるので、意匠面Ｓに表示される文字や記号などの発光表示が明瞭になる。
【００５８】
本実施形態の室内機１では、光源として白色の白色光源３１を用いることによって、意匠面Ｓにメタリック色の層４０を透過した白色光を表現することができる。
【００５９】
（第２実施形態）
上記した第１実施形態では、透明色の前面パネル２０の背面にメタリック色の層４０を形成する例について説明したが、この第２実施形態では、前面パネル２０の前面にメタリック色の層を形成している。以下、図４を参照して、第２実施形態に係る表示装置１１０を詳細に説明する。なお、第１実施形態の表示装置と同一の構成については、同一番号を付し、その説明を省略する。
【００６０】
［表示装置］
本実施形態の表示装置１１０は、主として、ケーシング２の前面に取り付けられる前面パネル１２０と、その前面パネル１２０の背面側に配置される発光装置３０とを備えている。
【００６１】
この第２実施形態では、前面パネル１２０は、透明色であって、その前面にはメタリック色の塗装によってメタリック色の層１４０が形成されている。このメタリック色の層１４０は、アルミ粉、パール及びマイカの少なくとも１種を含むことによって、メタリック色を呈している。そして、メタリック色の層１４０は、白色光源３１から照射された光の一部が透過するように、その厚さＴ２１が２μｍ〜５μｍとなるように形成されている。
【００６２】
また、本実施形態では、白色光源３１とメタリック色の層１４０との間には、白色光源３１からメタリック色の層１４０に入射する光を拡散する拡散層１５０が配置されている。この拡散層１５０は、白色又は淡色の塗装又は印刷によって、前面パネル１２０の背面に形成されている。そして、拡散層１５０は、白色光源３１の発光部分をぼやかして発光部１６０の略全体が発光しているように視認させるために、その厚さＴ２２が１０μｍ〜２５μｍとなるように形成されている。
【００６３】
本実施形態では、上記したように、発光装置３０側から、拡散層１５０、前面パネル１２０、メタリック色の層１４０の順に配置されており、白色光源３１から照射された光は、拡散層１５０で略全領域に広がった後、透明色の前面パネル１２０を介して、その一部がメタリック色の層１４０を透過することによって、メタリック色の層１４０の意匠面Ｓにメタリック色の発光表示が映し出される。
【００６４】
（第３実施形態）
上記した第１及び第２実施形態では、透明色の前面パネル２０，１２０の背面に拡散層５０，１５０を形成する例について説明したが、この第３実施形態では、前面パネル２０の前面に拡散層を形成している。以下、図５を参照して、第３実施形態に係る表示装置２１０を詳細に説明する。なお、第１実施形態の表示装置と同一の構成については、同一番号を付し、その説明を省略する。
【００６５】
［表示装置］
本実施形態の表示装置２１０は、主として、ケーシング２の前面に取り付けられる前面パネル２２０と、その前面パネル２２０の背面側に配置される発光装置３０とを備えている。
【００６６】
この第３実施形態では、前面パネル２２０は、透明色であって、その前面には白色光源３１から後述するメタリック色の層２４０に入射する光を拡散する拡散層２５０が配置されている。この拡散層２５０は、白色又は淡色の塗装又は印刷によって形成されている。そして、拡散層２５０は、白色光源３１の発光部分をぼやかして発光部２６０の略全体が発光しているように視認させるために、その厚さＴ３２が１０μｍ〜２５μｍとなるように形成されている。
【００６７】
また、拡散層２５０の前面にはメタリック色の塗装によってメタリック色の層２４０が形成されている。このメタリック色の層２４０は、アルミ粉、パール及びマイカの少なくとも１種を含むことによって、メタリック色を呈している。そして、メタリック色の層２４０は、白色光源３１から照射された光の一部が透過するように、その厚さＴ３１が２μｍ〜５μｍとなるように形成されている。
【００６８】
本実施形態では、上記したように、発光装置３０側から、前面パネル２２０、拡散層２５０、メタリック色の層２４０の順に配置されており、白色光源３１から照射された光は、透明色の前面パネル２２０を通過して、拡散層２５０で略全領域に広がった後、その一部がメタリック色の層２４０を透過することによって、メタリック色の層２４０の意匠面Ｓにメタリック色の発光表示が映し出される。
【００６９】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００７０】
例えば、上記実施形態では、拡散層を白色又は淡色の塗装又は印刷によって形成する例について説明したが、本発明はこれに限らず、当該拡散層を白色又は淡色のシート材で代用しても良い。なお、拡散層としてシート材を用いた場合、当該シート材は淡色系に着色された薄手のものであることが好ましい。
【００７１】
また、白色又は淡色の塗装若しくは印刷、又は、白色又は淡色のシート材でなくても、光源から照射される光を拡散可能であれば、種々の拡散部材を採用することができる。
【００７２】
また、上記実施形態では、メタリック色の層がアルミ粉を含む例について説明したが、本発明はこれに限らず、メタリック色の層がメタリック色を呈するようにアルミ粉以外の金属粉を用いてもよい。
【００７３】
また、上記実施形態では、メタリック色の層にアルミ粉、パール及びマイカの少なくとも一種を含ませる例について説明したが、本発明はこれに限らず、メタリック色の層にアルミ粉、パール及びマイカ以外の光輝材を含ませてもよい。
【００７４】
また、上記実施形態では、表示装置を空気調和機の室内機に適用する例について説明したが、本発明の表示装置は、室内機以外の機器にも適用可能である。
【産業上の利用可能性】
【００７５】
本発明を利用すれば、メタリック色の層に対して光を透過させることが可能な新規な表示装置及びその表示装置を備えた空気調和機（室内機）を得ることができる。
【符号の説明】
【００７６】
１  室内機（空気調和機）
１０，１１０，２１０  表示装置
２０，１２０，２２０  前面パネル（基材）
３０  発光装置
３１  白色光源（ＬＥＤ）
４０，１４０，２４０  メタリック色の層
５０，１５０，２５０  拡散層